(57)【要約】【課題】  水に濡れた傘、雑巾モップや箒などを吊るしたり、杖などの棒状物品を保持したりするために、挟む力が大きく、物品を挟む際に傷が付かず、ある程度、太さの異なる棒状の物品を簡単に保持でき、保持した物品が滑り落ちず、保持した物品を吊るすための構造を備えたクリップを提供することを目的とするものである。【解決手段】従来の目玉クリップを改良し、支軸４の一端または両端に、弾性体である紐状の取っ手２を取付け、把手部５の面積を大きくして、保持爪に、弾性を有する滑り止め部材を加工して形成した保持爪カバーを装着することにより、物品の滑り落ちを防止するとともに、物品を挟み易くし、吊り下げられる構造を備えた挟保持クリップとした。【選択図】図２
2007044384.tif 000002
【特許請求の範囲】
【請求項１】
物品を挟むクリップであって、一対の挟体部が所定の方向に、順に、保持爪、回動軸支持部、把手部からなり、保持爪は外側に凸した形状で、回動軸支持部は所定の方向と直交する方向の支軸と保持爪を閉じる方向に付勢するバネを有し、把手部を指で摘むことにより保持爪を開く方向に作用する構造のクリップにおいて、前記支軸の両端又は一端に、紐の形状をした弾性体の取っ手部を取付けたことを特徴とする挟保持クリップ。
【請求項２】
物品を挟むクリップであって、一対の挟体部が所定の方向に、順に、保持爪、回動軸支持部、把手部からなり、保持爪は外側に凸した形状で、回動軸支持部は所定の方向と直交する方向の支軸と保持爪を閉じる方向に付勢するバネを有し、把手部を指で摘むことにより保持爪を開く方向に作用する構造のクリップにおいて、支軸の両端又は一端の部分を輪状にすることにより支軸リング部を設けたことを特徴とする挟保持クリップ。
【請求項３】
前記取っ手部の取付けを、前記支軸の両端又は一端に、紐の形状をした弾性体の両端又は一端を針金または糸で結束したことを特徴とする請求項１に記載の挟保持クリップ。
【請求項４】
前記取っ手部の取付けを、前記支軸の両端又は一端の部分を輪状にすることにより支軸リング部を構成し、一端を輪状にした金具に紐の形状をした弾性体の両端又は一端を針金または糸で結束し、前記支軸リング部に前記金具を連結させることにより、クリップと取っ手部を回動可能にしたことを特徴とする請求項１に記載の挟保持クリップ。
【請求項５】
前記取っ手部の取付けを、前記支軸の両端又は一端の部分を輪状に曲げることにより支軸リング部を構成し、前記支軸リング部に、紐の形状をした弾性体を通して結束することにより、クリップと取っ手部を接続させたことを特徴とする請求項２に記載の挟保持クリップ。
【請求項６】
前記針金または糸で結束した部分にカバーを被せたことを特徴とする請求項３及び請求項４に記載の挟保持クリップ。
【請求項７】
物品を挟むクリップであって、一対の挟体部が所定の方向に、順に、保持爪、回動軸支持部、把手部からなり、保持爪は外側に凸した形状で、所定の方向と直交する方向の保持爪の幅は回動軸支持部の幅よりも長く、回動軸支持部は所定の方向と直交する方向の支軸と保持爪を閉じる方向に付勢するバネを有し、把手部を指で摘むことにより保持爪を開く方向に作用する構造のクリップにおいて、少なくとも保持爪より摩擦係数を大とした保持爪カバーを具備する挟保持クリップ。
【請求項８】
前記摩擦係数を大とする手段が弾性を有する滑り止め部材の装着である請求項７に記載の挟保持クリップ。
【請求項９】
筒状に形成された前記弾性を有する滑り止め部材の一部に、エの字状の切れ込みを入れ、切れ込みの反対側に１以上の穴を開け、その穴に紐状の伸縮部材を通し、エの字状の切れ込みに保持爪を挿入して、前記穴を通した紐状の伸縮部材を切れ込みに通して、挟体部の中段部で結紐させたことを特徴とする請求項８に記載の挟保持クリップ。
【請求項１０】
保持爪の幅よりも若干長めの、筒状に形成された前記弾性を有する滑り止め部材の一部にエの字状の切れ込みを入れ、切れ込みに保持爪を通して、切れ込みの反対側にあたる滑り止め部材を保持爪の内側に這わせるようにし、両端開口部を接着剤で接着し、両端の接着部の先端部を任意の形状にカットすることによりなる請求項８に記載の挟保持クリップ。
【請求項１１】
帯状に形成された前記弾性を有する滑り止め部材を保持爪の内側に這わせるようにし、両端を挟体部の中段部に接着剤で接着し、保持爪の内側に這わせた滑り止め部材と挟体部の中段部とを、輪状の伸縮部材を嵌めて固定させることにより、滑り止め部材を装着させたことを特徴とする請求項８に記載の挟保持クリップ。
【請求項１２】
前記紐状の伸縮部材がゴム紐である請求項９に記載の挟保持クリップ。
【請求項１３】
前記輪状の伸縮部材が輪ゴム又はゴム紐である請求項１１に記載の挟保持クリップ。
【請求項１４】
前記任意の形状が直線又は円弧状もしくは多角円弧状である請求項１０に記載の挟保持クリップ。
【請求項１５】
前記摩擦係数を大とする手段が保持爪の全面又は一部に弾性を有する滑り止め部材の貼付である請求項７に記載の挟保持クリップ。
【請求項１６】
前記弾性を有する滑り止め部材がゴムである請求項８又は請求項１５に記載の挟保持クリップ。
【請求項１７】
前記弾性を有する滑り止め部材がスポンジである請求項１５に記載の挟保持クリップ。
【請求項１８】
請求項１又は請求項２のいずれかの特徴と請求項７の特徴とを併せ持つ挟保持クリップ。
【請求項１９】
前記弾性を有する滑り止め部材の全面又は一部に、凹凸を設けたことを特徴とする請求項１５に記載の挟保持クリップ。
【請求項２０】
把手部の表面積を少なくとも人の親指の先端から第一関節までの内側腹部の表面積より大とし、把手部の形状を楕円状又は三角おにぎり状もしくは人の耳の輪郭に類似する形状にした請求項１、２、７に記載の挟保持クリップ。
【請求項２１】
前記紐の形状をした弾性体がビニール又はゴムもしくはゴム紐である請求項１、３、４に記載の挟保持クリップ。
【請求項２２】
前記弾性を有する滑り止め部材を、一方の保持爪から他方の保持爪まで、少なくとも回動軸支持部の幅よりも広い幅で、保持爪の内側内部に這わせたことを特徴とする請求項８に記載の挟保持クリップ。
【発明の詳細な説明】
【技術分野】
【０００１】
本発明は、物品を挟んで吊るすことのできるクリップで、水に濡れた傘、雑巾モップや箒など棒状の物品を挟んで吊るす物干し器具、釣竿の滑落防止器具、日常雑貨品の吊り下げ器具、傘や杖など棒状の物品の転倒防止器具や紛失防止器具に関するものである。
【背景技術】
【０００２】
棒状のものを挟むことができるクリップとしては、物干し竿を挟む洗濯バサミや目玉クリップなどがある。
クリップの中には、支軸を延長させて、ハンガーの頭部のように円弧上に曲げて、竿などにぶら下げられるようにしたものがある。
金属製のクリップの中には、金属の保持爪が洗濯物を傷付けないように、保持爪をビニールなどの素材で被ったものもある。
【０００３】
傘の石突き部分を挟んで、洗濯物を吊るして干す器具として、引掛用の支持具に逆Ｕ字状の吊下棒と、棒体を軸芯として、回動可能な状態で設けた一対の押圧具とからなる吊下具「特許公開平８−８９４」がある。
【０００４】
従来の目玉クリップは、一対の挟体部が所定の方向に、順に、保持爪、回動軸支持部、把手部からなり、保持爪は外側に凸した形状で、回動軸支持部は所定の方向と直交する方向の支軸と保持爪を閉じる方向に付勢するバネを有し、把手部を指で摘むことにより保持爪を開く方向に作用する構造のクリップである。
【特許文献１】特許公開平８−８９４号公報
【発明の開示】
【発明が解決しようとする課題】
【０００５】
傘や箒などの棒状の物品を挟むには、洗濯バサミでは、挟む部分の幅や面積が少なく、かつ、挟む力が弱いため、物品を安定した状態で保持することができず、挟んで吊り下げることには適していない。
【０００６】
洗濯物を干す際、物干し竿ごと挟むことによって洗濯物を保持する洗濯バサミもあるが、挟む対象が物干し竿の太さの物に限定されてしまい、かつ、傘や箒などの棒状の物品を挟んで吊り下げることには適していない。
【０００７】
目玉クリップそのものは、ある程度、挟力はあり、太さの異なる棒状の物品を挟むことができるが、摩擦抵抗が小さい物品を挟んだときは、物品がすべり落ちることもあり、また、挟む物品を傷付け易い。
【０００８】
また、クリップの中には、支軸を延長させて、ハンガーの頭部のように円弧上に曲げて、竿などにぶら下げられるようにしたものがあるが、それだけでは、竿上の一部に固定することはできず、強い風が吹くと、竿の上を滑ったり、飛んで落ちたりする可能性がある。
手にぶら下げて持ったりするには適していない。
【０００９】
金属製のクリップの中には、金属の保持爪が洗濯物を傷付けないように、保持爪をビニールなどの素材で被ったものもあるが、被いが各保持爪の部分に限定されており、洗濯物であればそれほど問題ではないが、プラスチックや木など傷の付き易い物品を挟む場合は、誤って、保持爪以外の被いの無い部分に接触すると傷が付く可能性が高く挟みづらい、また、保持爪を被っていない場合に比べて、摩擦抵抗力はあるが、棒状の物品をぶら下げたり、吊るしたりするには、摩擦抵抗力が小さく、保持力が弱い。
【００１０】
傘の石突き部分を挟んで、吊るして干す器具として、一対の押圧具からなる吊下具「特許公開平８−８９４」があるが、石突部分に取付けをする際、両方向から二つの押圧具を同時に摘んで、挟まなければならず、取り外しの際も不便であり、かつ、逆Ｕ字状の吊下棒で二つの押圧具の軸芯が固定されているので、挟む物品の形状や位置が限定されてしまう欠点がある。
【００１１】
本発明は、上記の問題点を解決しようとするもので、水に濡れた傘、雑巾モップや箒などを吊るしたり、杖などの棒状物品を保持したりするために、挟む力が大きく、物品を挟む際に傷が付かず、ある程度、太さの異なる棒状の物品を簡単に保持でき、保持した物品が滑り落ちず、保持した物品を吊るすための構造を備えたクリップを提供することを目的とするものである。
【課題を解決するための手段】
【００１２】
本発明は、上記目的を達成するために、従来の目玉クリップの支軸部分を改良し、支軸に紐状の取っ手を接続させるとともに、滑り止め部材を保持爪に装着させたことを主たる特徴とする下記に記載の手段を講じた挟保持クリップである。
【００１３】
保持した物品を吊るすための構造を備えたクリップとして、一対の挟体部が所定の方向に、順に、保持爪、回動軸支持部、把手部からなり、保持爪は外側に凸した形状で、回動軸支持部は所定の方向と直交する方向の支軸と保持爪を閉じる方向に付勢するバネを有し、把手部を指で摘むことにより保持爪を開く方向に作用する構造のクリップにおいて、前記支軸の両端又は一端に、紐の形状をした弾性体の取っ手部を取付けたものである。
【００１４】
また、取っ手部又は紐などを最初から取付けず、使用する者が、後から自由に接続できるように、支軸の両端又は一端の部分を輪状にし、支軸リング部を設けたものでもよい。
【００１５】
本発明における支軸リング部とは、クリップの支軸である棒の両端又は一端の部分を輪状に曲げて構成した部分のことを示し、支軸の棒の両端部分を曲げて、両端をお互いに繋ぐようにして支軸を１つの輪状にしたものも支軸リング部というものとする。この支軸リング部に取っ手部又は紐などを接続することになる。また、本発明において、紐の形状をした弾性体の取っ手と、弾性体である紐状の取っ手は同意味とする。
【００１６】
通常、棒状の物品を挟んで吊るす場合、重心に近い部分を挟んで吊るして水平にするよりも、重心をできるだけ低い位置になるように、重心から離れた端の部分を挟んで、吊るしたほうが、物品の状態は安定するので、棒状の物品は垂直に近い角度で吊るすことになり、挟んでいる保持爪も同様の向きと角度となる。
【００１７】
したがって、クリップの支軸も棒状の物品と同じ角度となるので、保持爪と把手部を除く部分で、物品を挟む際に邪魔にならない回動軸支持部の支軸の一端を輪状にし、取っ手部を連結させるのが望ましい。
【００１８】
支軸の両端又は一端に、紐の形状をした弾性体の取っ手部を取付ける手段は、主に針金または糸で結束するものとするが、紐の形状をした弾性体の取っ手部を直接結束してもよい。針金や糸に代えて、釣り糸やテープ、接着剤を使用して接続してもよい。
【００１９】
さらに、糸または針金などで結束したあとに接着剤を塗って補強してもよい。
【００２０】
支軸の両端又は一端に、直接、紐の形状をした弾性体の取っ手部を結束して取付ける方法を第一の取付け手段とする。
【００２１】
支軸の両端又は一端に、紐の形状をした弾性体の取っ手部を取付ける手段を、支軸の両端又は一端の部分を輪状にすることにより支軸リング部を構成し、一端を輪状にした金具に紐の形状をした弾性体の両端又は一端を針金または糸で結束し、支軸リング部に前記一端を輪状にした金具を連結させることにより、クリップと取っ手部を回動可能にすることもできる。
【００２２】
一端を輪状にした金具とは、アイボルト又はアイナットの金具に類似する形状をしたもので、本発明では、便宜上、アイボルト状の金具というものとする。
【００２３】
軸の両端又は一端の支軸リング部にアイボルト状の金具を連結し、アイボルト状の金具に紐の形状をした弾性体の取っ手部を取付ける方法を第二の取付け手段とする。
【００２４】
支軸の両端又は一端を輪状にした支軸リング部を設け、その支軸リング部に、アイボルト状の金具に紐状の取っ手を糸または針金などで結束した取っ手部を連結させることにより、クリップと取っ手部が回動可能となり、クリップと取っ手部の接続部分に余分な方向の力がかからず、吊り下げることができる。支軸リング部に取っ手の紐を通しても良い。
【００２５】
前記アイボルト状の金具は、金属は錆びや擦れて音がするので、強度のあるプラスチックなどの材質で代用してもよい。
【００２６】
支軸の両端又は一端に、紐の形状をした弾性体の取っ手部を取付ける手段として、支軸の両端又は一端の部分を輪状に曲げることにより支軸リング部を構成し、前記支軸リング部に、紐の形状をした弾性体を通して結束することにより、クリップと取っ手部を接続させることもできる。
【００２７】
支軸の両端又は一端の支軸リング部に紐の形状をした弾性体の取っ手部を通して結束する取付け方法を第三の取付け手段とする。
【００２８】
針金または糸で結束した部分にカバーを被せてもよい。
【００２９】
支軸の一部又はアイボルト状の金具と紐状の取っ手とを針金または糸で結束した部分に、ビニールのカバーを被せると引っかかる心配も無く、見た目もきれいである。また、ビニールのカバーに代えて、ビニールのテープを巻きつけてもよいし、断面及び表面をなめらかにした金具を巻くようにしてもよい。
【００３０】
保持した物品が滑り落ちず、物品を挟む際に傷付かない構造として、一対の挟体部が所定の方向に、順に、保持爪、回動軸支持部、把手部からなり、保持爪は外側に凸した形状で、所定の方向と直交する方向の保持爪の幅は回動軸支持部の幅よりも長く、回動軸支持部は所定の方向と直交する方向の支軸と保持爪を閉じる方向に付勢するバネを有し、把手部を指で摘むことにより保持爪を開く方向に作用する構造のクリップにおいて、少なくとも保持爪より摩擦係数を大とした保持爪カバーを具備するクリップにする。
【００３１】
本発明において滑り止め部材とは、物品を保持するために、クリップの保持爪に装着する摩擦係数の大きい弾性体をいうものとする。
【００３２】
本発明において保持爪カバーとは、滑り止め部材をクリップの保持爪に装着した状態を示すものとする。保持爪の全部又は一部に滑り止め部材を貼り付けたものも本発明では、便宜上、保持爪カバーというものとする。
【００３３】
摩擦係数を大とする手段として弾性を有する滑り止め部材を装着する。
【００３４】
筒状に形成された弾性を有する滑り止め部材を第一の滑り止め部材とし、第一の滑り止め部材の一部に、エの字状の切れ込みを入れ、切れ込みの反対側に１以上の穴を開け、その穴に紐状の伸縮部材を通し、エの字状の切れ込みに保持爪を挿入して、前記穴を通した紐状の伸縮部材を切れ込みに通して、挟体部の中段部で結紐させたものである。これを第一の保持爪カバーとする。
【００３５】
この場合の穴は、切れ込みの反対側の部材を、保持爪の内側に、紐またはゴム紐によって引き寄せることを目的に開けるものであって、紐またはゴム紐が通る程度の穴で、穴の間隔は、挟体部の中段部の幅程度で、図１０にあるような位置に、二つ程度、開けることが望ましい。
【００３６】
上記、エの字状の切れ込みは、挟体部の中段部に嵌めるため、図１０、図１１の切れ込み部分１０にあるような位置に設け、挟体部の中段部に無理なく嵌る程度の大きさで良い。
【００３７】
筒状に形成された弾性を有する滑り止め部材は、保持爪の幅より、若干幅をとることにより、物品を挟む際に保持爪が、物品などに接触するのを防ぐことができ、傷を付けにくい効果がある。
【００３８】
若干幅をとるとは、筒状に形成された弾性を有する滑り止め部材の長さを、少なくとも保持爪の幅の長さよりも長くすることである。
【００３９】
その若干幅の部分は、第二の保持爪カバーにおいては、筒状の滑り止め部材の開口部を閉じるための接着の糊しろとなり、開口部を閉じて、保持爪の先端を被うことにより、物品を挟む際、直接、物品が保持爪に接触するのを防ぎ、より傷を付けにくい効果を得ることができる。
【００４０】
そして、これらの筒状の滑り止め部材は、保持爪の内側全体を被う構造であるから、保持爪だけを被った場合に比べて、挟んだ物品が挟体部の中段部あたりに接触することがないため物品に傷が付きにくい。
【００４１】
また、上記、第一の保持爪カバーは保持爪に固着させてなくても、滑り止め効果が発揮できるため、筒状に形成された弾性を有する滑り止め部材の一部にエの字状の切れ込みを入れ、切れ込みの反対側に１以上の穴を開け、その穴にゴム状の紐を通して輪状にすることにより、クリップの一方の把手部に引っ掛けるようにして、挟体部の中段部に嵌めて固定することにより装着する取替用の保持爪カバーとすることもできる。
取替用の保持爪カバーとして、従来の目玉クリップにも装着可能である。
【００４２】
保持爪の幅よりも若干長めの、筒状に形成された前記弾性を有する第一の滑り止め部材の一部にエの字状の切れ込みを入れ、切れ込みに保持爪を通して、切れ込みの反対側にあたる滑り止め部材を保持爪の内側に這わせるようにし、両端開口部を接着剤で接着し、両端の接着部の先端部を任意の形状にカットすることによりなるものである。これを第二の保持爪カバーとする。
【００４３】
この場合は、筒状滑り止め部材の両端開口部の部分が接合されるため、滑り止め部材の装着時の形状が保つことができるので、前記、第一の保持爪カバーのように、ゴム状の紐を使用しなくてもよく、ゴム状の紐をとおす穴を開けなくても良い。
【００４４】
両端先端部を任意の形状にカットする場合は、鋏または円弧状の刃の付いたポンチなどで、角を取るようにして、直線または緩やかな円弧形にカットするのが望ましい。
【００４５】
また、上記、第二の保持爪カバーは、保持爪に固着させてなくてもよいので、保持爪の幅よりも若干幅を設けた筒状に形成された弾性を有する滑り止め部材の一部に、保持爪を通すための、エの字状の切れ込みを入れ、切れ込みを中央にして押さえて平面にした状態で、前記筒状滑り止め部材の両端開口部の部分を接着剤で接着し、接着した部分の両端の先端部を任意の形状にカットして整えることにより形成する保持爪カバーとすることもできる。取替用の保持爪カバーとして、従来の目玉クリップにも装着可能である。
【００４６】
第一の保持爪カバーと第二の保持爪カバーは、取替用の保持爪カバーとして使用するときは、保持爪に固着させなくてもよいが、取替用の保持爪カバーにしないときは、接着剤などを用いて、保持爪に固着させると、保持爪と保持爪カバーの間には滑りが発生しないので、保持爪に固着させない場合に比べ、保持力の高いクリップにすることができる。
【００４７】
比較的に挟力のある従来の目玉クリップに、上記弾性体である滑り止め部材を装着することにより、挟んだ物品に対し、単に、挟力があり、物品か滑らない、傷が付かないという効果だけではなく、下記の効果も有する。
【００４８】
野球のキャッチャーミットのように、ボールをミットの内側で捉えるように、棒状の物品を挟む際、保持爪内側の滑り止め部材で包むようにして挟むことができるので、物品と滑り止め部材との接触面積を大きくすることができ、摩擦抵抗力も大きくなり、結果、保持力が大きくなる。
【００４９】
物品に凹凸があるものや保持爪との接点が少ないために、従来の目玉クリップでは、挟み難くいものであっても、弾性体の滑り止め部材が、若干の凹凸を補うため、その分、安定した挟みができるようになり挟む物品の対象範囲も広がる。
【００５０】
さらに、多少でも凹凸を補えるということは、物品との接触面積が多少増えるということになり、その分、挟む力が物品の接点の一点に集中しないで、接点の周囲に分散されることになるため、物品にとっても、やさしいクリップとなる。
【００５１】
また、滑り止め部材は保持爪を被うだけでなく、物品が保持爪の内側からは直接的に他の回動軸支持部や把手部等に接触しない構造となるため、保持爪で挟む部分での物品の傷付きを防止するだけでなく、物品を挟む際の、挟み過ぎによる物品の傷付きに神経を遣う負担も軽減されるため、従来なら傷付くことを心配して使用を控えていた物品も気軽に挟むことができるので、格段に使用用途が拡大する。
【００５２】
少なくとも、一方の保持爪の外周と内周を合計した長さよりも短い円周の長さをもつ筒状に形成された弾性を有する滑り止め部材を第三の滑り止め部材とし、第三の滑り止め部材の一部に切れ込みを入れ、または前記滑り止め部材の一部に楕円もしくは半楕円形の穴を開け、それぞれの保持爪に装着させ、棒状の物品に対して滑り落ちを防ぐ摩擦抵抗を備えたクリップにすることもできる。
【００５３】
両方の円弧状の保持爪部分に、筒状に形成された弾性を有する滑り止め部材をぴったりと被せることにより、保持爪の外側は保持爪に沿って滑り止め部材が被さり、保持爪の内側部分は円弧状の一方の先端から他方の先端まで、弾性を有する滑り止め部材が平らに張り広げられることになり、保持爪の内径よりも細い棒状の物品でも弾性を有する滑り止め部材によって挟むことが可能になる。これを第四の保持爪カバーとする。
【００５４】
この場合、円弧状の保持爪の径に近い円柱棒状の物品ほど、弾性を有する滑り止め部材を間に挟んで保持爪の内側に強く密着するため、滑り止め効果は大きくなる。
【００５５】
第三の滑り止め部材の切れ込み、楕円もしくは半楕円形の穴は、筒状に形成された弾性を有する滑り止め部材を保持爪に装着させるために設けるもので、挟体部の保持爪と回動軸支持部の間に無理なく嵌る程度の大きさで良い。
【００５６】
保持爪の内側部分に滑り止め部材を貼り付ける場合、細い棒状の物品の場合、滑り止め部材にも、すり抜けて落下してしまうこともある。図９の中央列の断面図ように、それぞれ保持爪の内側部分の形状に応じ、帯状に半円柱形状または三角柱形状もしくは半四角柱形状もしくは半多角柱形状のスポンジ状の滑り止め部材を貼り付けることにより、保持爪の内側で挟む部分を平らにして、細い棒状の物品に対しても滑り落ちを防ぐ摩擦抵抗を備えたクリップにすることもできる。これを第五の保持爪カバーとする。
【００５７】
帯状に形成された弾性を有する滑り止め部材を第二の滑り止め部材とし、第二の滑り止め部材を保持爪の内側に這わせるようにし、両端を挟体部の中段部に接着剤で接着し、保持爪の内側に這わせた滑り止め部材と挟体部の中段部とを、輪状の伸縮部材を嵌めて固定させることにより、滑り止め部材を装着させたものである。これを第三の保持爪カバーとする。
【００５８】
保持爪内側の断面形状を円弧状または、への字状もしくはコの字状もしくは多角円弧状にし、抱える棒状の物品の形状に応じた保持爪にして、その保持爪内側の全面または一部に弾性を有する滑り止め部材を貼り付けることによって、さらに棒状の物品の形状に適した滑り落ちを防ぐ摩擦抵抗を備えたクリップにすることもできる。
【００５９】
本発明を構成する部品の材質や形状などを一例として示す。
【００６０】
紐状の伸縮部材をゴム紐にする。
【００６１】
輪状の伸縮部材を輪ゴム又はゴム紐にする。
【００６２】
任意の形状を直線又は円弧状もしくは多角円弧状にする。
【００６３】
摩擦係数を大とする手段として保持爪の全面又は一部に弾性を有する滑り止め部材を貼付する。
【００６４】
弾性を有する滑り止め部材をゴムにする。
【００６５】
弾性を有する滑り止め部材をスポンジにする。
【００６６】
支軸の両端又は一端に、紐の形状をした弾性体の取っ手部を取付け、少なくとも保持爪より摩擦係数を大とした保持爪カバーを具備したことを併せ持つものにする。
【００６７】
紐状の取っ手を取付けたクリップに前記保持爪カバーを装着させることにより、本発明の課題である、杖などの棒状物品を保持したりするための、挟む力が大きく、物品を挟む際に傷付かず、ある程度、太さの異なる棒状の物品を保持でき、保持した物品が滑り落ちず、保持した物品を吊るすための構造を備えたクリップを提供することができる。
【００６８】
弾性を有する滑り止め部材の全面又は一部に凹凸を設ける。
【００６９】
滑り止め部材の摩擦抵抗力を向上させるため、滑り止め部材の表面に、凹凸を設けることもできる。この場合の凹凸は等間隔に設けた凹凸でもよいが、棒状の物品と直角方向にストライプ状の凹凸であれば、棒状の物品と同じ方向に作用する力に対する摩擦抵抗力を高めることができる。
【００７０】
円弧状または、への字状もしくはコの字状もしくは多角円弧状にした保持爪の一部に、鑢状の凹凸部分を設けることによって、保持爪と滑り止め部材との間の摩擦力を高め、さらに、摩擦抵抗力を向上させたクリップにすることができる。
【００７１】
鑢状の凹凸は、保持爪の内側だけでなく、外側に設けても良い、外側であっても滑り止め部材に接すれば、前記凹凸を設けない場合に比べて、滑り止め効果は向上する。
【００７２】
把手部の表面積を少なくとも人の親指の先端から第一関節までの内側腹部の表面積より大とし、把手部の形状を楕円状又は三角おにぎり状もしくは人の耳の輪郭に類似する形状にした挟保持クリップ。
【００７３】
把手部部分を図１、２、３のような楕円状または図５のような三角おにぎり状もしくは図４のような耳状に広くし、手に接触する面積を大きくして、クリップを広げる際の負担を軽減するとともに、保持爪の中段部側の部分と、中段部の回動軸支持部の外側と、楕円状または三角おにぎり状もしくは耳状にした把手部の中段部側の部分によって、構成される空間の部分に、竿などの棒状のものに引っ掛けることのできる構造のクリップにすることもできる。
【００７４】
把手部を上記のような形状にすることにより、把手部が摘み易くなり、紐状の取っ手を使わなくても、一時的に、干し竿などに引っ掛けることもでき、便利である。
【００７５】
机など平らな平面の上に接触する部分の把手部部分の一部に滑り止め部材を固着することにより、棒状の物品を挟み、机などの端の平らな平面の上に立て掛けたとき、滑って倒れない構造のクリップにすることができる。
【００７６】
紐の形状をした弾性体がビニール又はゴムもしくはゴム紐であるものにする。
【００７７】
弾性を有する滑り止め部材を、一方の保持爪から他方の保持爪まで、少なくとも回動軸支持部の幅よりも広い幅で、保持爪の内側内部に這わせたものにする。
【００７８】
本発明の保持爪カバーは、傷付け防止や滑り落ち防止を目的としたものであるが、保持爪との接点が少ない滑りやすい物品や、ある程度、太さや厚さが異なる多様な形状の物品も挟むことができるように、滑り止め部材を保持爪の内側内部に這わせるようにして、保持の際、滑り止め部材が物品を包むようにして挟むことにより、接点を多くし、かつ、弾性を有する滑り止め部材により物品の一部又は一点に集中する圧力点を緩和し、摩擦抵抗力を持たせ、物品をより安定した状態で保持できるようにしたことが大きな特徴である。
【００７９】
特に、第一の保持爪カバー及び第二の保持爪カバーは、それぞれの保持爪にカバーをつけるのではなく、一対の保持爪を１つの保持爪カバーで被い、物品を保持爪の内側全体で包むという着想、それを実現するために筒状の滑り止め部材を用い、加工し、装着する着想は、容易には到達し難いものであると考えている。
【００８０】
上記の保持爪カバーに加え、棒状の物品を挟んで吊るす場合、棒の端を挟んで、垂直に近い角度で吊るすと安定することから、クリップと取っ手部の接続部に、できるだけ余分な方向の力がかからないよう、吊り下げるための取っ手部を、棒状の物品の向きと同方向である支軸に、リング部を設け、連結させたことも大きな特徴である。
【００８１】
これは、本来なら、クリップは、保持爪を上下または前後から挟んで使用することが多く、そのほうが保持力も大きい。仮に、吊り下げるための機能を持たせるにしても、保持爪が地面と水平になるようにするのが通常である。
【００８２】
クリップを縦にして保持爪を左右から挟むように使用することは、保持爪から物品が滑り落ち易い使い方である。
【００８３】
支軸に取っ手を取付け、物品が滑り落ち易い方向に吊り下げるようにしたのは、棒状の物品が、より安定した状態で吊るすことができる方向であることと、取っ手を手首に引っ掛けて使用する際、邪魔にならず、把手部を摘むことができることと、上記、第一から五の保持爪カバーが、滑り落ち易い方向の保持爪の欠点を補うに至ったからである。
【発明の効果】
【００８４】
上述したように、本発明は、挟力の大きい従来の目玉クリップに弾性を有する滑り止め部材を装着したものであるから、挟んだ物品が滑らず、傷が付かないという効果を有する。
【００８５】
また、物品に多少の凹凸があっても、弾性を有する滑り止め部材により、挟む力が物品の接点の一点に集中しないで、接点の周囲に分散されることになるため、安定した保持ができ、物品にとっても、やさしいクリップとなる。
【００８６】
さらに、本発明における第一の保持爪カバー及び第二の保持爪カバーは、弾性を有する滑り止め部材を保持爪の幅の長さより若干長めにとることにより、直接、保持爪の先端が物品に当たらなくなり、物品に傷が付きにくい。
【００８７】
そして、第一の保持爪カバー及び第二の保持爪カバーは、保持爪を被うだけでなく、一対の保持爪を１つの保持爪カバーとして被い、物品を保持爪の内側全体で包むため、物品が保持爪の内側からは、直接的に他の回動軸支持部等に接触しない構造となるため、保持爪で挟む部分の物品の傷付きを防止するだけでなく、物品を挟む際、挟み過ぎによる物品の傷付きに神経を遣う負担も軽減され、従来なら傷付くことを心配して使用を控えていた物品も気軽に挟むことができるようになるため、挟む物品の対象範囲が広がる。
【００８８】
棒状の物品を保持爪の内側部分だけでなく、弾性を有する滑り止め部材で保持爪の内側全体で包み込むように保持できるため、物品との接触面積が広くなり、滑り止め効果はより大きくなる。
【００８９】
上記の効果に加え、取っ手部を設けて、物品を吊るせるようにしたことで、格段に使用用途と範囲が拡大する。
【００９０】
もちろん、従来の目玉クリップと同様に、書類などを挟むことにも使用できる。
【００９１】
誤って手を挟んでも、滑り止め部材が無い場合に比べて、手を傷めにくい。
【００９２】
取っ手が紐状なので、物干し竿や物干し紐に吊るすときは、取っ手を物干し竿に一周巻くようにして、取っ手の内側にクリップを通すようにして、吊るすため、ハンガーの引っ掛け金具を物干し竿に引っ掛ける場合とは異なり、外れないため、風に煽られて傘などが飛んでしまうことは無い。また、取っ手の弾性により、引っ掛け金具の場合に比べ、物干し竿や物干し紐の上を滑ることが少ない。
【００９３】
本発明のクリップは、自由に挟む位置を変えることができるため、傘の石突き部分を挟んで吊るす干し器具などに比べて、格段に利用用途が広い。
【発明を実施するための最良の形態】
【００９４】
以下、本発明の実施の形態として、実施例を図１〜図１７に基づいて説明する。
図１は、支軸４の一端に、弾性体である紐状の取っ手２を取付け、保持爪７に第一の保持爪カバーを装着したものである。
【００９５】
図１において、弾性を有する滑り止め部材１を外側に凸した形状の保持爪７に被せ、弾性体である紐状の取っ手２を回動軸支持部の支軸４に取付け、バネ８は支軸４と把手部のバネ留め部９に固定され、支軸４を支点にして、保持爪７を閉じる方向に付勢し、一対の把手部５を指で摘むことにより、支軸４を支点にして、保持爪７を開く方向に作用する。
【００９６】
紐またはゴム紐６を、弾性を有する滑り止め部材１の穴１１に通し、回動軸支持部１５で結束して、弾性を有する滑り止め部材１を保持爪７に装着する。
把手部５を楕円状にして、従来の目玉クリップの把手部よりも大きくしている。
支軸４と弾性体である紐状の取っ手２を針金または糸で結束した部分に、結束部のカバー３を被せることで、結束した部分が剥き出しにならず、見た目もきれいである。
【００９７】
図２は、支軸４の一端に、弾性体である紐状の取っ手２を取付け、保持爪７に第二の保持爪カバーを装着したものである。把手部５は楕円状。
【００９８】
図２において、第二の保持爪カバーに形成した弾性を有する滑り止め部材１を外側に凸した形状の保持爪７に被せ、弾性体である紐状の取っ手２を回動軸支持部の支軸４に取付け、バネ８は支軸４と把手部のバネ留め部９に固定され、支軸４を支点にして、保持爪７を閉じる方向に付勢し、一対の把手部５を指で摘むことにより、支軸４を支点にして、保持爪７を開く方向に作用する。
【００９９】
図３は、支軸４の一端に、紐の形状をした弾性体の取っ手２を取付け、保持爪７に保持爪カバーを装着していない状態のものである。把手部５は楕円状。
【０１００】
図４は、把手部５を人の耳の輪郭に類似する形状にしたものである。
【０１０１】
図５は、把手部５を三角おにぎり状にしたものである。
【０１０２】
図６は、支軸４の両端に支軸リング部１４を設け、保持爪７に第二の保持爪カバーを装着したものである。
【０１０３】
図７は、支軸４の両端を互いに接続して、１つの支軸リング部１４を構成させ、保持爪７に第二の保持爪カバーを装着したものである。
【０１０４】
図８は、図７の保持爪７に装着した第二の保持爪カバーの一部をカットしたものである。
回動軸支持部側の弾性を有する滑り止め部材１の一部をカットすることにより、棒状の物品を保持爪と同じ向きにして挟む際、若干傾きがあり、向きが少しずれていても、挟むことができ、カットしていない場合に比べ、物品をはさみ易くできる。
【０１０５】
図９は、支軸４の一端に、支軸リング部１４を設け、支軸リング部１４にアイボルト状の金具１２と連結し、アイボルト状の金具１２に、紐の形状をした弾性体の取っ手２を取付けたものである。
【０１０６】
支軸リング部１４とアイボルト状の金具１２の連結により、クリップと取っ手部が回動可能となり、クリップと取っ手部の接続部分に余分な方向の力がかからず、吊り下げることができる。
【０１０７】
図１０は、第一の保持爪カバーの構造を示した図で、図１０の左図は、筒状の弾性を有する滑り止め部材１に切れ込み部分１０を入れ、滑り止め部材に開けた穴１１に、紐またはゴム紐６を通したものである。
【０１０８】
図１０の右図は、弾性を有する滑り止め部材に開けた穴１１に、紐またはゴム紐６を通し、切れ込み部分１０に通して、第一の保持爪カバーを形成したものである。
【０１０９】
図１１は、第二の保持爪カバーの構造と形成過程を示した図である。
【０１１０】
図１１の左上図は、切れ込み部分１０を設けた筒状の弾性を有する滑り止め部材１である。
【０１１１】
図１１の右上図のように、筒状の弾性を有する滑り止め部材１を、切れ込み部分１０を基準にして、切れ込み部分１０の反対側にあたる部分を引き寄せ、二つ折りにする。
【０１１２】
二つ折りにした筒状の弾性を有する滑り止め部材１の両端の開口部内側を接着剤で接着して、両端の開口部を閉じた状態にしたのが、図１１の左下図である。
【０１１３】
さらに、両端の開口部の閉じた部分を円弧状にカットして整えたのが、図１１の右下図である。
【０１１４】
図１２は、それぞれ形状の異なる保持爪に、スポンジの滑り止め部材を装着した場合と第二の保持爪カバーを装着した場合の状態を示した図である。
【０１１５】
図１２の左列は、それぞれ形状の異なる保持爪を示し、上から下に、順に、円弧状、くの字状、コの字状、多角円弧状をした保持爪である。
【０１１６】
図１２の中央列は、それぞれ左列の保持爪に、スポンジ状の滑り止め部材１３を装着した状態の断面図である。
【０１１７】
図１２の右列は、それぞれ左列の保持爪に、第二の保持爪カバーを装着した場合の状態を示した図である。
【０１１８】
図１３は、第三の滑り止め部材とそれを装着した第四の保持爪カバーの状態を示す図である。
【０１１９】
図１３の左図は、第三の滑り止め部材である。図１３の中央図は、第三の滑り止め部材を保持爪に装着した状態、すなわち第四の保持爪カバーの装着状態を示す図である。
【０１２０】
図１３の右図は、第四の保持爪カバーの装着状態を横から見た図である。
【０１２１】
図１４は、第二の滑り止め部材とそれを装着した第三の保持爪カバーの状態を示す図である。
【０１２２】
図１４の左図は、第二の滑り止め部材と２個の輪ゴムである。図１４の中央図は、第二の滑り止め部材を保持爪に装着した状態、すなわち第三の保持爪カバーの装着状態を示す図である。
【０１２３】
図１４の右図は、第三の保持爪カバーの装着状態を横から見た図である。
【０１２４】
図１５は、第一の滑り止め部材とそれを装着した第一の保持爪カバーの状態を示す図である。
【０１２５】
図１５の左図は、エの字の切れ込みを入れ、二つの穴をあけ、穴に紐またはゴム紐を通し、紐またはゴム紐の端を閉じて輪状にしたものを設けた状態の第一の滑り止め部材である。
【０１２６】
図１５の中央図は、第一の滑り止め部材を保持爪に装着した状態、すなわち第一の保持爪カバーの装着状態を示す図である。図１５の右図は、第一の保持爪カバーの装着状態を横から見た図である。
【０１２７】
図１６は、第一の滑り止め部材とそれを装着した第二の保持爪カバーの状態を示す図である。
【０１２８】
図１６の左図は、エの字の切れ込みを入れた状態の第一の滑り止め部材である。
図１６の中央図は、第一の滑り止め部材を保持爪に装着した状態、すなわち第二の保持爪カバーの装着状態を示す図である。
図１６の右図は、第二の保持爪カバーの装着状態を横から見た図である。
【０１２９】
図１７は、挟保持クリップの利用形態の一例を示した図である。
図１７の上段左から、順に、傘の石突部分を挟み物干し竿に吊るした図、箒の柄の部分を挟み物干し竿に吊るした図、杖の柄の部分を挟み手首に引っ掛けた図、棒の柄の部分を挟み手首に引っ掛けた図である。
【０１３０】
図１７の中段の図は、バケツの取っ手にクリップの取っ手を繋ぎ、釣竿の柄を挟んだものである。
【０１３１】
図１７の下段の図は、棚などの平らな板にクリップを挟み、取っ手部分に傘の柄をぶら下げたものである。
【図面の簡単な説明】
【０１３２】
【図１】本発明の一実施例を示す斜視図である。
【図２】本発明の一実施例を示す斜視図である。
【図３】滑り止め部材を装着していない状態の構造を示す斜視図である。
【図４】把手部部分の形状を変化させた一実施例を示す斜視図である。
【図５】把手部部分の形状を変化させた一実施例を示す斜視図である。
【図６】支軸の両端に支軸リング部を設けた一実施例を示す斜視図である。
【図７】支軸の両端を曲げて輪状に接合することにより、支軸リング部とした一実施例を示す斜視図である。
【図８】回動軸支持部に近い保持爪カバーの一部分をカットした一実施例を示す斜視図である。
【図９】支軸に取っ手を取付ける場合の一実施例を示す図である。
【図１０】第一の保持爪カバーの構造を示す斜視図である。
【図１１】第二の保持爪カバーの構造と形成過程を示す斜視図である。
【図１２】それぞれ形状の異なる保持爪の横面図と、それぞれにスポンジの滑り止め部材を装着した場合の断面図と、それぞれに第二の保持爪カバーを装着した場合を示す横面図である。
【図１３】第三の滑り止め部材とそれを装着した第四の保持爪カバーの状態を示す斜視図と横面図である。
【図１４】第二の滑り止め部材とそれを装着した第三の保持爪カバーの状態を示す斜視図と横面図である。
【図１５】第一の滑り止め部材とそれを装着した第一の保持爪カバーの状態を示す斜視図と横面図である。
【図１６】第一の滑り止め部材とそれを装着した第二の保持爪カバーの状態を示す斜視図と横面図である。
【図１７】本発明の利用形態の一例を示す図である。
【符号の説明】
【０１３３】
１  弾性を有する滑り止め部材
２  弾性体である紐状の取っ手
３  結束部のカバー
４  支軸
５  把手部
６  紐またはゴム紐
７  保持爪
８  バネ
９  バネ留め部
１０  切れ込み部分
１１  滑り止め部材に開けた穴
１２  アイボルト状の金具
１３  スポンジ状の滑り止め部材
１４  支軸リング部
１５  回動軸支持部
【図１】
2007044384.tif 000003
【図２】
2007044384.tif 000004
【図３】
2007044384.tif 000005
【図４】
2007044384.tif 000006
【図５】
2007044384.tif 000007
【図６】
2007044384.tif 000008
【図７】
2007044384.tif 000009
【図８】
2007044384.tif 000010
【図９】
2007044384.tif 000011
【図１０】
2007044384.tif 000012
【図１１】
2007044384.tif 000013
【図１２】
2007044384.tif 000014
【図１３】
2007044384.tif 000015
【図１４】
2007044384.tif 000016
【図１５】
2007044384.tif 000017
【図１６】
2007044384.tif 000018
【図１７】
2007044384.tif 000019